(57)【要約】【課題】ろ面全域のろ材をろ過に有効に寄与させて大量の原水を良好にろ過できるようにする。【解決手段】ろ過槽１内に浮遊するろ材層３を形成して、供給された原水を当該ろ材層３中に上方から下方へ通過させてろ過するとともに、ろ材３１の一部をろ過槽１の上部からろ過槽外へ引き抜いてろ材３１に付着した不要物を分離し再生した後、再びろ材３１をろ過槽１内に戻す。原水をろ過槽１内へ供給する原水供給管４１の先端４１１を、ろ過槽１の側壁周方向の複数位置に開口させる。【選択図】        図１
2006088054.tif 000002
【特許請求の範囲】
【請求項１】
ろ過槽内に浮遊するろ材層を形成して、供給された原水を当該ろ材層中に上方から下方へ通過させてろ過するとともに、ろ材の一部をろ過槽の上部からろ過槽外へ引き抜いてろ材に付着した不要物を分離して再生した後、再び前記ろ材をろ過槽内に戻すようにした移床式ろ過装置において、原水をろ過槽内へ供給する原水供給路の先端を、ろ過槽の側壁周方向の複数位置に開口させたことを特徴とする移床式ろ過装置。
【請求項２】
前記原水供給路の各先端を、ろ過槽内で周方向の同方向へ向けて設けた請求項１に記載の移床式ろ過装置。
【請求項３】
前記原水供給路の各先端を、ろ過槽内の外周部と内周部に分散して位置させた請求項１又は２に記載の移床式ろ過装置。
【発明の詳細な説明】
【技術分野】
【０００１】
本発明は移床式ろ過装置に関し、特に、ろ材引抜き路を設けてろ材の一部を原水と共にろ過槽外へ引き抜いて洗浄した後、再びろ過槽内に戻すようにした移床式ろ過装置の構造改良に関する。
【背景技術】
【０００２】
移床式ろ過装置には、浮遊性の発泡ポリスチレンや発泡ポリプロピレン等をろ材として使用したものがあり、ろ材が浮遊性のために流動性が高く目詰まりを起こしにくいこと、ろ材が軽いために洗浄が容易であること等の利点があるため注目されている。このような移床式ろ過装置の一例を図５に示す。
【０００３】
図５において、ろ過槽１内の上部には中央を頂点とする山形断面のスクリーン２が配設されており、これの下方に水中に浮遊した状態で多数のろ材３１が集積されて上下方向へ所定厚さのろ材層３が形成されている。ろ材層３の上部にはろ過槽１外から一本の原水供給管４１が貫通させてあり、原水供給管４１の先端４１５はろ過槽の中心部に至って上方へ屈曲し、その先端はスクリーン２の下方位置で上方へ拡開している。ろ材層３の下部には複数の集水ストレーナ６１を突設した処理水排出ヘッダ６が設けられて、これに接続された処理水排出管４３がろ過槽１外へ延びている。処理水排出管４３は途中で所定高さまで立ち上げられて補助管４３１によって外気に連通させられ、その後、再び下降させられている。原水供給管４１を経てろ過槽内へ供給された原水（図５中の黒矢印）はろ材層３を上方から下方へ通過し、この間にろ材３１のフィルタ作用によって懸濁物が捕捉除去されて浄化される。浄化された処理水は処理水排出ヘッダ６から処理水排出管４３を経てろ過槽１外へ排出される。処理水排出管４３は既述のように所定高さまで立ち上げられて外気に通じているから、ろ過槽１内の液位はほぼ所定高さに維持される。
【０００４】
スクリーン２の頂部にはろ材引抜き管４４の先端が開口し、ろ材引抜き管４４はろ過槽１外へ延びて、途中に設けた引抜きポンプ７１を経て汚泥分離サイクロン７２へ至っている。汚泥分離サイクロン７２からはろ材戻し管４６が延びてろ過槽１の下端部内に開口している。このような構造により、懸濁物を捕捉して汚染されたろ材３１がろ過槽内を浮上して（図５の白矢印）ろ材引抜き管４４により汚泥分離サイクロン７２に送られ、懸濁物が汚泥として分離されて浄化される。浄化されたろ材３１はろ材戻し管４６によってろ過槽１の下部へ戻され、山形断面をなすガイド壁８の頂部中央に形成された開口８１からろ材層３の最下位置へ浮上させられる。ろ材層３を構成するろ材３１は順次上方へ移動して循環させられ、その過程で、下方へ移動する原水を浄化処理する。このような移床式ろ過装置は例えば特許文献１に記載されている。
【特許文献１】特開平７−５１５１０号
【発明の開示】
【発明が解決しようとする課題】
【０００５】
ところで、上記従来の移床式ろ過装置では、原水を１本の原水供給管４１によってろ過槽１の中心部にのみ供給している。しかし、これによると、原水を大量処理するためにろ過槽１を大径にした場合には、中心部に供給された原水がろ材層３のろ面（水平断面）全域に行き渡らなくなるために、外周部のろ材３１がろ過に有効に寄与せず、ろ過性能が低下するという問題があった。
【０００６】
そこで本発明はこのような課題を解決するもので、ろ面全域のろ材をろ過に有効に寄与させて大量の原水を良好にろ過できるようにした移床式ろ過装置を提供することを目的とする。
【課題を解決するための手段】
【０００７】
上記目的を達成するために本第１発明では、ろ過槽（１）内に浮遊するろ材層（３）を形成して、供給された原水を当該ろ材層（３）中に上方から下方へ通過させてろ過するとともに、ろ材（３１）の一部をろ過槽（１）の上部からろ過槽（１）外へ引き抜いてろ材（３１）に付着した不要物を分離して再生した後、再びろ材（３１）をろ過槽（１）内に戻すようにした移床式ろ過装置において、原水をろ過槽（１）内へ供給する原水供給路（４１）の先端（４１１）を、ろ過槽（１）の側壁周方向の複数位置に開口させる。
【０００８】
本第１発明においては、原水供給管をろ過槽の側壁周方向の複数位置で開口させているから、原水はろ過槽の周方向の複数個所から供給されてろ材層のろ面外周部から内周部へ一様に拡散させられ、この状態でろ材層を下方へ通過して浄化される。これにより、ろ材層のろ面全域のろ材がろ過に有効に寄与させられるから、大量の原水が良好にろ過される。
【０００９】
本第２発明では、上記原水供給路（４１）の各先端（４１２）を、ろ過槽（１）内で周方向の同方向へ向けて設ける。本第２発明においては、原水供給管からろ過槽内へ供給された原水が、ろ過槽の側壁に沿って周回しつつ、ろ材層のろ面全体にさらに良好に拡散させられる。
【００１０】
本第３発明では、上記原水供給路（４１）の各先端（４１３，４１４）を、ろ過槽（１）内の外周部と内周部に分散して位置させる。本第３発明においては、原水は原水供給管の先端からろ材層のろ面内周部とろ面外周部へそれぞれ供給されてろ面全体に良好に拡散されるから、大量の原水が良好にろ過される。
【００１１】
なお、上記カッコ内の符号は、後述する実施形態に記載の具体的手段との対応関係を示すものである。
【発明の効果】
【００１２】
以上のように、本発明の移床式ろ過装置によれば、ろ面全域のろ材をろ過に有効に寄与させることができるから大量の原水を良好にろ過することができる。
【発明を実施するための最良の形態】
【００１３】
（第１実施形態）
図１には移床式ろ過装置のろ過槽を示す。ろ過槽１内の上部には中央を頂点とする山形断面のスクリーン２が配設されており、これの下方に水中に浮遊した状態で多数のろ材３１が集積されて上下方向へ所定厚さのろ材層３が形成されている。ろ材層３の上部にはろ過槽１の側壁を貫通して原水供給管４１の先端４１１が開口させてある。すなわち、原水供給管４１は槽外で分岐させられて、図２に示すように、その先端４１１はろ過槽の周方向等間隔の複数個所（本実施形態では４箇所）で側壁を貫通して当該側壁の内周近傍でろ過槽１内へ開口している。ろ材層３の下部にはろ過槽の側壁全周にウェッジワイヤスクリーン５１を設けた開口が形成されて処理水排出口５となっており、その外方は円環容器状の処理水排出ヘッダ５２で液密的に囲まれている。そして、処理水排出ヘッダ５２の周方向の一箇所から処理水排出管４３が延びている。上記処理水排出管４３は既に従来技術で説明したように（図５参照）、途中で所定高さまで立ち上げられて補助管４３１によって外気に連通させられ、その後、再び下降させられている。
【００１４】
スクリーン２の頂部にはろ材引抜き管４４の先端が開口し、ろ材引抜き管４４は既に従来技術で説明したように（図５参照）、ろ過槽１外へ延びて、途中に設けた引抜きポンプ７１を経て汚泥分離サイクロン７２へ至っている。汚泥分離サイクロン７２からはろ材戻し管４６が延びてろ過槽１の下端部内に開口している。このような構造により、懸濁物を捕捉して汚染されたろ材３１がろ過槽内を浮上して（図１の白矢印）ろ材引抜き管４４により汚泥分離サイクロン７２に送られ、懸濁物が汚泥として分離されて浄化される。浄化されたろ材３１はろ材戻し管４６によってろ過槽１の下部へ戻され、山形断面をなすガイド壁８の頂部中央に形成された開口８１からろ材層３の最下位置へ浮上させられる。ろ材層３を構成するろ材３１は順次上方へ移動して循環させられ、その過程で下方へ移動する原水を浄化処理する。
【００１５】
原水供給管４１を経てろ過槽１内へ供給された原水（図１中の黒矢印）はろ材層３を上方から下方へ通過し、この間にろ材３１のフィルタ作用によって懸濁物が捕捉除去されて浄化される。浄化された処理水は処理水排出口５から処理水排出ヘッダ５２、処理水排出管４３を経てろ過槽１外へ排出される。ここで、本実施形態では、原水供給管４１をろ過槽１の周方向等間隔の４箇所でろ過槽１の側壁内周近傍に開口させてある。したがって、原水はろ過槽１の外周部の４箇所から内周部へ向けて供給されて、ろ材層３のろ面全体に一様に拡散させられ、この状態でろ材層３を下方へ通過させられて浄化される。このようにして、ろ面全域のろ材３１がろ過に有効に寄与させられて、大量の原水が良好にろ過される。
【００１６】
（第２実施形態）
本実施形態では、図３に示すように、周方向等間隔の４箇所からろ過槽１内へ貫通させた原水供給管４１の先端４１２を、周方向の同方向へ向けて湾曲させてある。このようにすると、原水供給管４１からろ過槽１内へ供給された原水が、ろ過槽１の側壁に沿って周回しつつろ材層３のろ面外周部から内周部へ進入してろ面全体にさらに良好に拡散させられる。
【００１７】
（第３実施形態）
本実施形態では、図４に示すように、原水供給管４１の先端４１３，４１４を周方向等間隔の８箇所からろ過槽１内へ貫通させるとともに、原水供給管４１の槽内への突出量を交互に大小変化させてある。これにより、原水は原水供給管４１の大きく突出する先端４１４からろ材層３のろ面内周部へ、小さく突出する先端４１３からろ面外周部へそれぞれ供給されて、ろ面全体に良好に拡散させられ、大量の原水が良好にろ過される。
【図面の簡単な説明】
【００１８】
【図１】本発明の第１実施形態を示す移床式ろ過装置のろ過槽の概略垂直断面図である。
【図２】本発明の第１実施形態を示す移床式ろ過装置のろ過槽の概略水平断面図である。
【図３】本発明の第２実施形態を示す移床式ろ過装置のろ過槽の概略水平断面図である。
【図４】本発明の第３実施形態を示す移床式ろ過装置のろ過槽の概略水平断面図である。
【図５】従来の移床式ろ過装置の全体系統図である。
【符号の説明】
【００１９】
１…ろ過槽、３…ろ材層、３１…ろ材、４１…原水供給管、４１１，４１２，４１３，４１４…先端。
【図１】
2006088054.tif 000003
【図２】
2006088054.tif 000004
【図３】
2006088054.tif 000005
【図４】
2006088054.tif 000006
【図５】
2006088054.tif 000007